(57)【要約】      （修正有）【課題】バンディングを補正するための正確な補正情報を得るのに好適なバンディング補正情報生成装置、バンディング補正情報生成方法、バンディング補正情報生成プログラム、印刷装置、および記録媒体を提供する。【解決手段】印刷装置１を、バンディングに係る濃度情報を抽出する濃度情報抽出手段２０と、前記濃度情報抽出手段２０で抽出した濃度情報の変化の勾配を算出する濃度勾配算出手段３０と、前記濃度勾配算出手段３０で算出された濃度変化の勾配を補正する濃度勾配補正手段４０と、前記濃度勾配補正手段４０で補正された濃度変化の勾配を有する濃度情報から、バンディングをより正確に補正するためのバンディング補正情報を生成するバンディング補正情報生成手段５０と、当該生成したバンディング補正情報を用いて印刷用画像データに対してバンディング補正処理を実行するバンディング補正情報記憶手段８０と、を含んだ構成とした。【選択図】図１
2007283750.tif 000002
【特許請求の範囲】
【請求項１】
バンディング補正情報の生成用の画像の画像データである補正情報生成用画像データを取得する補正情報生成用画像データ取得手段と、
前記補正情報生成用画像データに基づき、前記画像の濃度情報を抽出する濃度情報抽出手段と、
前記濃度情報抽出手段で抽出した濃度情報に基づき、前記画像の濃度変化の勾配を算出する濃度勾配算出手段と、
前記濃度勾配算出手段で算出された前記濃度変化の勾配に基づき、前記補正情報生成用画像データを補正する濃度勾配補正手段と、
前記濃度勾配補正手段で補正された前記補正情報生成用画像データに基づき、バンディングを補正するためのバンディング補正情報を生成するバンディング補正情報生成手段と、を備えたことを特徴とするバンディング補正情報生成装置。
【請求項２】
前記濃度情報は、輝度値、濃度値（ＯＤ値）及び明度値（Ｌ値）のいずれか１つを用いたものであることを特徴とする請求項１に記載のバンディング補正情報生成装置。
【請求項３】
前記濃度情報は、前記画像におけるバンディングの発生方向及び当該バンディングの発生方向と直行する方向の少なくとも一方の濃度の統計値を含むことを特徴とする請求項１又は請求項２に記載のバンディング補正情報生成装置。
【請求項４】
前記濃度の統計値は、前記画像のライン毎の、輝度平均値、濃度平均値及び明度平均値のいずれか１つであることを特徴とする請求項３に記載のバンディング補正情報生成装置。
【請求項５】
前記濃度勾配算出手段は、最小二乗法を用いた線形近似により前記勾配を算出する手段であることを特徴とする請求項１乃至請求項４のいずれか１項に記載のバンディング補正情報生成装置。
【請求項６】
前記濃度勾配算出手段は、多項式近似により前記勾配を算出する手段であることを特徴とする請求項１乃至請求項４のいずれか１項に記載のバンディング補正情報生成装置。
【請求項７】
前記濃度勾配補正手段は、前記画像の濃度変化から、前記濃度勾配算出手段で算出した前記勾配が取り除かれるように、前記補正情報生成用画像データを補正する手段であることを特徴とする請求項１乃至請求項６のいずれか１項に記載のバンディング補正情報生成装置。
【請求項８】
前記濃度勾配補正手段は、前記画像の前記バンディングの発生方向の濃度変化に対する勾配及び当該バンディングの発生方向と直行する方向の濃度変化に対する勾配の少なくとも一方が、前記画像の濃度変化から取り除かれるように、前記補正情報生成用画像データを補正する手段であることを特徴とする請求項７に記載のバンディング補正情報生成装置。
【請求項９】
バンディング補正情報の生成用の画像の画像データである補正情報生成用画像データを取得する補正情報生成用画像データ取得ステップと、
前記補正情報生成用画像データに基づき、前記画像の濃度情報を抽出する濃度情報抽出ステップと、
前記濃度情報抽出ステップで抽出した濃度情報に基づき、前記画像の濃度変化の勾配を算出する濃度勾配算出ステップと、
前記濃度勾配算出ステップで算出された前記濃度変化の勾配に基づき、前記補正情報生成用画像データを補正する濃度勾配補正ステップと、
前記濃度勾配補正ステップで補正された前記補正情報生成用画像データに基づき、バンディングを補正するためのバンディング補正情報を生成するバンディング補正情報生成ステップと、を含むことを特徴とするバンディング補正情報生成方法。
【請求項１０】
バンディング補正情報の生成用の画像の画像データである補正情報生成用画像データを取得する補正情報生成用画像データ取得ステップと、
前記補正情報生成用画像データに基づき、前記画像の濃度情報を抽出する濃度情報抽出ステップと、
前記濃度情報抽出ステップで抽出した濃度情報に基づき、前記画像の濃度変化の勾配を算出する濃度勾配算出ステップと、
前記濃度勾配算出ステップで算出された前記濃度変化の勾配に基づき、前記補正情報生成用画像データを補正する濃度勾配補正ステップと、
前記濃度勾配補正ステップで補正された前記補正情報生成用画像データに基づき、バンディングを補正するためのバンディング補正情報を生成するバンディング補正情報生成ステップとを有する処理をコンピュータに実行させるために使用するプログラムを含むことを特徴とするバンディング補正情報生成プログラム。
【請求項１１】
請求項１０に記載のバンディング補正情報生成プログラムを記録したコンピュータ読取可能な記録媒体。
【請求項１２】
バンディング補正情報の生成用の画像の画像データである補正情報生成用画像データを取得する補正情報生成用画像データ取得手段と、
前記補正情報生成用画像データに基づき、前記画像の濃度情報を抽出する濃度情報抽出手段と、
前記濃度情報抽出手段で抽出した濃度情報に基づき、前記画像の濃度変化の勾配を算出する濃度勾配算出手段と、
前記濃度勾配算出手段で算出された前記濃度変化の勾配に基づき、前記補正情報生成用画像データを補正する濃度勾配補正手段と、
前記濃度勾配補正手段で補正された前記補正情報生成用画像データに基づき、バンディングを補正するためのバンディング補正情報を生成するバンディング補正情報生成手段と、
印刷対象の画像の画像データである印刷用画像データを取得する印刷用画像データ取得手段と、
前記バンディング補正情報生成手段で生成したバンディング補正情報を用いて、前記印刷用画像データに対してバンディングを補正する処理を実行するバンディング補正手段と、
前記印刷用画像データに基づき、印刷に用いる媒体に前記印刷対象の画像を印刷する印刷手段と、を備えることを特徴とする印刷装置。
【請求項１３】
バンディング補正情報の生成用の画像の画像データである補正情報生成用画像データを取得する補正情報生成用画像データ取得ステップと、
前記補正情報生成用画像データに基づき、前記画像の濃度情報を抽出する濃度情報抽出ステップと、
前記濃度情報抽出ステップで抽出した濃度情報に基づき、前記画像の濃度変化の勾配を算出する濃度勾配算出ステップと、
前記濃度勾配算出ステップで算出された前記濃度変化の勾配に基づき、前記補正情報生成用画像データを補正する濃度勾配補正ステップと、
前記濃度勾配補正ステップで補正された前記補正情報生成用画像データに基づき、バンディングを補正するためのバンディング補正情報を生成するバンディング補正情報生成ステップと、
印刷対象の画像の画像データである印刷用画像データを取得する印刷用画像データ取得ステップと、
前記バンディング補正情報生成ステップで生成したバンディング補正情報を用いて、前記印刷用画像データに対してバンディングを補正する処理を実行するバンディング補正ステップと、
前記印刷用画像データに基づき、印刷に用いる媒体に前記印刷対象の画像を印刷する印刷ステップと、を含むことを特徴とする印刷方法。
【請求項１４】
バンディング補正情報の生成用の画像の画像データである補正情報生成用画像データを取得する補正情報生成用画像データ取得ステップと、
前記補正情報生成用画像データに基づき、前記画像の濃度情報を抽出する濃度情報抽出ステップと、
前記濃度情報抽出ステップで抽出した濃度情報に基づき、前記画像の濃度変化の勾配を算出する濃度勾配算出ステップと、
前記濃度勾配算出ステップで算出された前記濃度変化の勾配に基づき、前記補正情報生成用画像データを補正する濃度勾配補正ステップと、
前記濃度勾配補正ステップで補正された前記補正情報生成用画像データに基づき、バンディングを補正するためのバンディング補正情報を生成するバンディング補正情報生成ステップと、
印刷対象の画像の画像データである印刷用画像データを取得する印刷用画像データ取得ステップと、
前記バンディング補正情報生成ステップで生成したバンディング補正情報を用いて、前記印刷用画像データに対してバンディングを補正する処理を実行するバンディング補正ステップと、
前記印刷用画像データに基づき、印刷に用いる媒体に前記印刷対象の画像を印刷する印刷ステップとを有する処理をコンピュータに実行させるのに使用するプログラムを含むことを特徴とする印刷プログラム。
【請求項１５】
請求項１４に記載の印刷プログラムを記録したコンピュータ読取可能な記録媒体。
【発明の詳細な説明】
【技術分野】
【０００１】
本発明は、印刷画像等に生じるバンディングの補正処理に係り、特に、本来得られるべきバンディングを補正することができるバンディング補正情報を生成するためのバンディング補正情報生成装置、バンディング補正情報生成方法、およびバンディング補正情報生成プログラム、印刷装置、印刷方法、および印刷プログラム、ならびに前記プログラムを記録した記録媒体に関する。
【背景技術】
【０００２】
従来、バンディングを補正するための装置として、特許文献１のような装置が提案されている。
この装置は、あらゆる階調において濃度むら・濃度スジのない画像を安定して出力することが可能な画像形成装置であり、複数の記録素子を配列した記録ヘッドの配列方向とは異なる方向に記録媒体と相対的に移動させることで画像形成を行う画像形成装置において、記録ヘッドの各記録素子の記録特性を、複数の濃度領域毎に選択的に指示する第１の補正手段と、第１の補正手段によって指示された記録特性に基づいて濃度信号を補正する第２の補正手段と、各記録素子に対応する濃度信号が属する濃度領域に応じて、第１の補正手段が指示する記録特性を選択する選択手段を具備した装置である。
【０００３】
しかしながら、この装置においては、補正情報を作るためのパッチ画像（例えば、各階調のベタ画像など）を走査した場合の端の部分が使用できなくなるという、スキャナなどの測定系に起因する問題があり、補正情報を作るためにスキャンした結果が、図１３に示すように、傾斜する場合がある。
図１３（ａ）は、一次の濃度勾配を示すためのもので、左上から右下にかけて急激なスロープを形成している。このスロープは、根本的には、測定機器や、測定機器の周辺に起因して発生するものであり、例えば、外部からの光の入射がその原因の１つである。また、図１３（ｂ）は、二次の濃度勾配を示すためのもので、左上から急激に下降して、再度上昇するカーブを描くが、このカーブは、カメラのようなレンズで撮影された画像は、基本的にはレンズの周辺部が暗くなるという特性に起因して発生する。すなわち、レンズのどの部分を通った光を使うかにもよるが、レンズの周辺部を通った光の特性（例えば光量等）が異なることに起因すると思われる。
【特許文献１】特開平５−２２０９７７号公報
【発明の開示】
【発明が解決しようとする課題】
【０００４】
上記測定系が要因で発生する問題に対して、特許文献１に記載されているような「端を捨てる」方法では、対応できないという問題がある。この問題は、本来は、測定系の根本的な問題を改善すべきであるが、コストなどの問題でできそうにない状況や、たとえ、手間をかけて測定系の根本的な問題を解決したとしても、完全に解消されることはなく、少なからず上記のような状況が残るのが現状である。
【０００５】
本発明は、上述した事情を鑑みてなされたものであって、濃度勾配を補正して、本来得られるべき、バンディングを補正するための正確な補正情報を得ることができるバンディング補正情報生成装置、バンディング補正情報生成方法、バンディング補正情報生成プログラム、印刷装置、および記録媒体を提供することを目的としている。
【課題を解決するための手段】
【０００６】
〔形態１〕  上記課題を解決するために、形態１に記載のバンディング補正情報生成装置は、
バンディング補正情報の生成用の画像の画像データである補正情報生成用画像データを取得する補正情報生成用画像データ取得手段と、
前記補正情報生成用画像データに基づき、前記画像の濃度情報を抽出する濃度情報抽出手段と、
前記濃度情報抽出手段で抽出した濃度情報に基づき、前記画像の濃度変化の勾配を算出する濃度勾配算出手段と、
前記濃度勾配算出手段で算出された前記濃度変化の勾配に基づき、前記補正情報生成用画像データを補正する濃度勾配補正手段と、
前記濃度勾配補正手段で補正された前記補正情報生成用画像データに基づき、バンディングを補正するためのバンディング補正情報を生成するバンディング補正情報生成手段と、を備えたことを特徴とする。
【０００７】
この構成によれば、補正情報生成用画像データ取得手段によって、バンディング補正情報の生成用の画像の画像データである補正情報生成用画像データを取得することが可能であり、濃度情報抽出手段によって、前記補正情報生成用画像データに基づき、前記画像の濃度情報を抽出することが可能であり、濃度勾配算出手段によって、前記濃度情報抽出手段で抽出した濃度情報に基づき、前記画像の濃度変化の勾配を算出することが可能であり、濃度勾配補正手段によって、前記濃度勾配算出手段で算出された前記濃度変化の勾配に基づき、前記補正情報生成用画像データを補正することが可能であり、バンディング補正情報生成手段によって、前記濃度勾配補正手段で補正された前記補正情報生成用画像データに基づき、バンディングを補正するためのバンディング補正情報を生成することが可能である。
【０００８】
従って、本来ならば存在しない、測定系の誤差により発生する濃度勾配を補正する（取り除く）ことで、より正確にバンディングを補正することができるバンディング補正情報を作成することができるという効果が得られる。
なお、上記「濃度情報」とは、例えば、測定系の測定濃度から生成した画像データやデジタルカメラで撮像した画像データなどに基づき抽出される情報であって、画像に発生しているバンディングの強弱等が濃度変化として表される情報である。例えば、濃度の表現に輝度値を用いた場合は、画像のラインごとの平均輝度値などとなる。一般的に、バンディングは（色味の変化ではなく）明るさの変化のムラに対して知覚されるものとされているので、濃度の表現には、輝度値に限らず、同じ明るさを示す尺度であれば、濃度値（ＯＤ値）、明度値（ＬａｂのＬ値）などを用いても良い。以下、バンディング補正情報生成方法に関する形態、バンディング補正情報生成プログラムに関する形態、印刷装置に関する形態、印刷方法に関する形態、印刷プログラムに関する形態、前記プログラムを記録したコンピュータ読み取り可能な記録媒体に関する形態、発明を実施するための最良の形態の欄などにおいて同じである。
【０００９】
また、上記「バンディング」とは、例えば、印刷装置において、ドット形成位置が理想の形成位置からずれているノズルによる、いわゆる「飛行曲がり現象」が原因で、印刷結果に「白スジ」と共に「濃いスジ」が同時に発生する印刷不良、ノズルのインク不吐出、ノズルのインク吐出量が通常より多い又は少ないなどのインクの吐出不良が原因で、印刷結果に「白スジ」や「濃いスジ」が発生する印刷不良などが該当する。
【００１０】
また、上記「飛行曲がり現象」とは、単なる一部のノズルの不吐出現象とは異なり、インクは吐出するものの、その一部のノズルの吐出方向が傾くなどしてドットが理想位置よりずれて形成されてしまう現象をいう。以下、バンディング補正情報生成方法に関する形態、バンディング補正情報生成プログラムに関する形態、印刷装置に関する形態、印刷方法に関する形態、印刷プログラムに関する形態、前記プログラムを記録したコンピュータ読み取り可能な記録媒体に関する形態、発明を実施するための最良の形態の欄などにおいて同じである。
【００１１】
また、上記「白スジ」とは、「飛行曲がり現象」によって隣接ドット間の距離が所定の距離よりも広くなる現象が連続的に発生して印刷媒体の下地の色がスジ状に目立ってしまう部分（領域）をいい、また、上記「濃いスジ」とは、同じく「飛行曲がり現象」によって隣接ドット間の距離が所定の距離よりも短くなる現象が連続的に発生して印刷媒体の下地の色が見えなくなったり、あるいはドット間の距離が短くなることによって相対的に濃く見えたり、さらにはずれて形成されたドットの一部が正常なドットと重なり合ってその重なり合った部分が濃いスジ状に目立ってしまう部分（領域）をいうものとする。また、白スジはインク量が少ないノズルが原因で発生する場合があり、一方、濃いスジはインク量が多いノズルが原因で発生する場合がある。以下、バンディング補正情報生成方法に関する形態、バンディング補正情報生成プログラムに関する形態、印刷装置に関する形態、印刷方法に関する形態、印刷プログラムに関する形態、前記プログラムを記録したコンピュータ読み取り可能な記録媒体に関する形態、発明を実施するための最良の形態の欄などにおいて同じである。
【００１２】
〔形態２〕  更に、形態２のバンディング補正情報生成装置は、形態１に記載のバンディング補正情報生成装置において、
前記濃度情報は、輝度値、濃度値（ＯＤ値）及び明度値（Ｌ値）のいずれか１つを用いたものであることを特徴とする。
この構成によれば、濃度変化の勾配を、輝度値、濃度値（ＯＤ値）及び明度値（Ｌ値）のいずれかの変化から求めることができるので、本来ならば存在しない、測定系の誤差により発生する濃度勾配を適切に補正する（取り除く）ことで、より適正なバンディング補正情報を生成することができる。
【００１３】
〔形態３〕  更に、形態３のバンディング補正情報生成装置は、形態１又は２に記載のバンディング補正情報生成装置において、
前記濃度情報は、前記画像におけるバンディングの発生方向及び当該バンディングの発生方向と直行する方向の少なくとも一方の濃度の統計値を含むことを特徴とする。
この構成によれば、バンディングの発生方向及びその直行方向に発生する勾配を的確に捉えることが可能となるので、画像の濃度変化の勾配（濃度勾配）から、無視すべき勾配分を適切に取り除くことが可能となる。特に、バンディングの発生方向及びその直行方向の濃度情報を両方とも用いることで、勾配を２次元的（平面的）に捉えることできるので、より適切に不要な勾配分を取り除くことが可能となる。従って、より適正なバンディング情報を生成することができる。
【００１４】
〔形態４〕  更に、形態４のバンディング補正情報生成装置は、形態３に記載のバンディング補正情報生成装置において、
前記濃度の統計値は、前記画像のライン毎の、輝度平均値、濃度平均値及び明度平均値のいずれか１つであることを特徴とする。
この構成によれば、画像の輝度値の変化、濃度値の変化、及び明度値の変化のいずれか１つを用いて画像の濃度変化を表すことが可能となるので、これらの濃度変化から、本来存在しない、測定系の誤差により発生する濃度変化の勾配（濃度勾配）を適切に判別することが可能である。従って、適正な濃度勾配の補正を行うことができるので、より適正なバンディング補正情報を生成することができるという効果が得られる。
【００１５】
〔形態５〕  更に、形態５のバンディング補正情報生成装置は、形態１乃至４のいずれか１に記載のバンディング補正情報生成装置において、
前記濃度勾配算出手段は、最小二乗法を用いた線形近似により前記勾配を算出する手段であることを特徴とする。
この構成によれば、濃度情報に対して最小二乗法により求めた回帰直線の傾きを用いて勾配を算出するので、濃度勾配を簡易に除去することができるという効果が得られる。
【００１６】
〔形態６〕  更に、形態６のバンディング補正情報生成装置は、形態１乃至４のいずれか１に記載のバンディング補正情報生成装置において、 
前記濃度勾配算出手段は、多項式近似により前記勾配を算出する手段であることを特徴とする。
この構成によれば、濃度情報に対して多項式近似により勾配を算出するので、濃度勾配を様々な方法で除去でき、適正なバンディング補正情報を作成することができる。
【００１７】
〔形態７〕  更に、形態７のバンディング補正情報生成装置は、形態１乃至６のいずれか１に記載のバンディング補正情報生成装置において、
前記濃度勾配補正手段は、前記画像の濃度変化から、前記濃度勾配算出手段で算出した前記勾配が取り除かれるように、前記補正情報生成用画像データを補正する手段であることを特徴とする。
【００１８】
通常、測定機器等による影響がなければ、パッチ画像（各階調のベタ画像）の濃度変化（例えば、各画像ラインの平均輝度値の変化）は、巨視的に見ると、濃度の軸と直行する軸（画像の各画像ラインの位置を示す軸）方向に対して平行又は略平行となる特性を示す。つまり、パッチ画像は均一濃度の画像であるので、バンディングによる細かいブレはあっても、巨視的に見たときの濃度変化は、フラット又は略フラットになる。しかし、測定機器等による影響を受けることで、巨視的に見たパッチ画像の濃度変化は、濃度の軸と直行する軸方向に対して勾配を有するようになる。
【００１９】
本形態の構成によれば、前記濃度勾配算出手段で算出した濃度変化の勾配を、当該画像の濃度変化から取り除くようにしたので、画像本来の純粋な濃度成分とは異なる不要な濃度成分のみを除去することができる。これにより、より適正にバンディング補正情報を作成することができるという効果が得られる。
【００２０】
〔形態８〕  更に、形態８のバンディング補正情報生成装置は、形態７に記載のバンディング補正情報生成装置において、
前記濃度勾配補正手段は、前記画像の前記バンディングの発生方向の濃度変化に対する勾配及び当該バンディングの発生方向と直行する方向の濃度変化に対する勾配の少なくとも一方が、前記画像の濃度変化から取り除かれるように、前記補正情報生成用画像データを補正する手段であることを特徴とする。
【００２１】
ここで、濃度変化の勾配としては、例えば、バンディングの発生方向の画像ラインの輝度平均値の変化に対する勾配と、バンディングの発生方向と直行する方向の画像ラインの輝度平均値の変化に対する勾配とが考えられる。つまり、測定機器による影響は、大まかに、これら２種類の勾配として現われる。
本形態の構成によれば、前記濃度勾配算出手段で算出した前記画像の濃度変化に対する、前記バンディングの発生方向の勾配及び当該バンディングの発生方向と直行する方向の勾配の少なくとも一方を、画像の濃度変化から取り除くことができるので、より適切に不要な濃度成分を取り除くことができる。これにより、より適正にバンディング補正情報を作成することができるという効果が得られる。
【００２２】
〔形態９〕  一方、上記課題を解決するために、形態９のバンディング補正情報生成方法は、
バンディング補正情報の生成用の画像の画像データである補正情報生成用画像データを取得する補正情報生成用画像データ取得ステップと、
前記補正情報生成用画像データに基づき、前記画像の濃度情報を抽出する濃度情報抽出ステップと、
前記濃度情報抽出ステップで抽出した濃度情報に基づき、前記画像の濃度変化の勾配を算出する濃度勾配算出ステップと、
前記濃度勾配算出ステップで算出された前記濃度変化の勾配に基づき、前記補正情報生成用画像データを補正する濃度勾配補正ステップと、
前記濃度勾配補正ステップで補正された前記補正情報生成用画像データに基づき、バンディングを補正するためのバンディング補正情報を生成するバンディング補正情報生成ステップと、を含むことを特徴とする。
この構成によれば、上記形態１のバンディング補正情報生成装置と同様の効果が得られる。
【００２３】
〔形態１０〕  更に、形態１０のバンディング補正情報生成方法は、形態９に記載のバンディング補正情報生成方法において、
前記濃度情報は、輝度値、濃度値（ＯＤ値）及び明度値（Ｌ値）のいずれか１つを用いたものであることを特徴とする。
この構成によれば、上記形態２のバンディング補正情報生成装置と同様の効果が得られる。
【００２４】
〔形態１１〕  更に、形態１１のバンディング補正情報生成方法は、形態９又は１１に記載のバンディング補正情報生成方法において、
前記濃度情報は、前記画像におけるバンディングの発生方向及び当該バンディングの発生方向と直行する方向の少なくとも一方の濃度の統計値を含むことを特徴とする。
この構成によれば、上記形態３のバンディング補正情報生成装置と同様の効果が得られる。
【００２５】
〔形態１２〕  更に、形態１２のバンディング補正情報生成方法は、形態１１に記載のバンディング補正情報生成方法において、
前記濃度の統計値は、前記画像のライン毎の、輝度平均値、濃度平均値及び明度平均値のいずれか１つであることを特徴とする。
この構成によれば、上記形態４のバンディング補正情報生成装置と同様の効果が得られる。 
【００２６】
〔形態１３〕  更に、形態１３のバンディング補正情報生成方法は、形態９乃至１２のいずれか１に記載のバンディング補正情報生成方法において、
前記濃度勾配算出ステップは、最小二乗法を用いた線形近似により前記勾配を算出することを特徴とする。
この構成によれば、上記形態５のバンディング補正情報生成装置と同様の効果が得られる。
【００２７】
〔形態１４〕  更に、形態１４のバンディング補正情報生成方法は、形態９乃至１２のいずれか１に記載のバンディング補正情報生成方法において、
前記濃度勾配算出ステップは、多項式近似により前記勾配を算出することを特徴とする。
この構成によれば、上記形態６のバンディング補正情報生成装置と同様の効果が得られる。
【００２８】
〔形態１５〕  更に、形態１５のバンディング補正情報生成方法は、形態９乃至１４のいずれか１に記載のバンディング補正情報生成方法において、
前記濃度勾配補正ステップは、前記画像の濃度変化から、前記濃度勾配算出ステップで算出した前記勾配が取り除かれるように、前記補正情報生成用画像データを補正することを特徴とする。
この構成によれば、上記形態７のバンディング補正情報生成装置と同様の効果が得られる。
【００２９】
〔形態１６〕  更に、形態１６のバンディング補正情報生成方法は、形態１５に記載のバンディング補正情報生成方法において、
前記濃度勾配補正ステップは、前記画像の前記バンディングの発生方向の濃度変化に対する勾配及び当該バンディングの発生方向と直行する方向の濃度変化に対する勾配の少なくとも一方が、前記画像の濃度変化から取り除かれるように、前記補正情報生成用画像データを補正することを特徴とする。
この構成によれば、上記形態８のバンディング補正情報生成装置と同様の効果が得られる。
【００３０】
〔形態１７〕  一方、上記課題を解決するために、形態１７のバンディング補正情報生成プログラムは、
バンディング補正情報の生成用の画像の画像データである補正情報生成用画像データを取得する補正情報生成用画像データ取得ステップと、
前記補正情報生成用画像データに基づき、前記画像の濃度情報を抽出する濃度情報抽出ステップと、
前記濃度情報抽出ステップで抽出した濃度情報に基づき、前記画像の濃度変化の勾配を算出する濃度勾配算出ステップと、
前記濃度勾配算出ステップで算出された前記濃度変化の勾配に基づき、前記補正情報生成用画像データを補正する濃度勾配補正ステップと、
前記濃度勾配補正ステップで補正された前記補正情報生成用画像データに基づき、バンディングを補正するためのバンディング補正情報を生成するバンディング補正情報生成ステップとを有する処理をコンピュータに実行させるために使用するプログラムを含むことを特徴とする。
このような構成であれば、コンピュータによってプログラムが読み取られ、読み取られたプログラムに従ってコンピュータが処理を実行すると、上記形態１のバンディング補正情報生成装置と同等の作用および効果が得られる。
【００３１】
〔形態１８〕  更に、形態１８のバンディング補正情報生成プログラムは、形態１７に記載のバンディング補正情報生成プログラムにおいて、
前記濃度情報は、輝度値、濃度値（ＯＤ値）及び明度値（Ｌ値）のいずれか１つを用いたものであることを特徴とする。
このような構成であれば、コンピュータによってプログラムが読み取られ、読み取られたプログラムに従ってコンピュータが処理を実行すると、上記形態２のバンディング補正情報生成装置と同等の作用および効果が得られる。
【００３２】
〔形態１９〕  更に、形態１９のバンディング補正情報生成プログラムは、形態１７又は１８に記載のバンディング補正情報生成プログラムにおいて、
前記濃度情報は、前記画像におけるバンディングの発生方向及び当該バンディングの発生方向と直行する方向の少なくとも一方の濃度の統計値を含むことを特徴とする。
このような構成であれば、コンピュータによってプログラムが読み取られ、読み取られたプログラムに従ってコンピュータが処理を実行すると、上記形態３のバンディング補正情報生成装置と同等の作用および効果が得られる。
【００３３】
〔形態２０〕  更に、形態２０のバンディング補正情報生成プログラムは、形態１９に記載のバンディング補正情報生成プログラムにおいて、
前記濃度の統計値は、前記画像のライン毎の、輝度平均値、濃度平均値及び明度平均値のいずれか１つであることを特徴とする。
このような構成であれば、コンピュータによってプログラムが読み取られ、読み取られたプログラムに従ってコンピュータが処理を実行すると、上記形態４のバンディング補正情報生成装置と同等の作用および効果が得られる。
【００３４】
〔形態２１〕  更に、形態２１のバンディング補正情報生成プログラムは、形態１７乃至２０のいずれか１に記載のバンディング補正情報生成プログラムにおいて、
前記濃度勾配算出ステップは、最小二乗法を用いた線形近似により前記勾配を算出することを特徴とする。
このような構成であれば、コンピュータによってプログラムが読み取られ、読み取られたプログラムに従ってコンピュータが処理を実行すると、上記形態５のバンディング補正情報生成装置と同等の作用および効果が得られる。
【００３５】
〔形態２２〕  更に、形態２２のバンディング補正情報生成プログラムは、形態１７乃至２０のいずれか１に記載のバンディング補正情報生成プログラムにおいて、
前記濃度勾配算出ステップは、多項式近似により前記勾配を算出することを特徴とする。
このような構成であれば、コンピュータによってプログラムが読み取られ、読み取られたプログラムに従ってコンピュータが処理を実行すると、上記形態６のバンディング補正情報生成装置と同等の作用および効果が得られる。
【００３６】
〔形態２３〕  更に、形態２３のバンディング補正情報生成プログラムは、形態１７乃至２２のいずれか１に記載のバンディング補正情報生成プログラムにおいて、
前記濃度勾配補正ステップは、前記画像の濃度変化から、前記濃度勾配算出ステップで算出した前記勾配が取り除かれるように、前記補正情報生成用画像データを補正することを特徴とする。
このような構成であれば、コンピュータによってプログラムが読み取られ、読み取られたプログラムに従ってコンピュータが処理を実行すると、上記形態７のバンディング補正情報生成装置と同等の作用および効果が得られる。
【００３７】
〔形態２４〕  更に、形態２４のバンディング補正情報生成プログラムは、形態２３に記載のバンディング補正情報生成プログラムにおいて、
前記濃度勾配補正ステップは、前記画像の前記バンディングの発生方向の濃度変化に対する勾配及び当該バンディングの発生方向と直行する方向の濃度変化に対する勾配の少なくとも一方が、前記画像の濃度変化から取り除かれるように、前記補正情報生成用画像データを補正することを特徴とする。
このような構成であれば、コンピュータによってプログラムが読み取られ、読み取られたプログラムに従ってコンピュータが処理を実行すると、上記形態８のバンディング補正情報生成装置と同等の作用および効果が得られる。
【００３８】
〔形態２５〕  また、上記課題を解決するために、形態２５の記録媒体は、
形態１７乃至２４のいずれか１のバンディング補正情報生成プログラムを記録したコンピュータ読み取り可能な記録媒体である。
これにより、ＣＤ−ＲＯＭやＤＶＤ−ＲＯＭ、ＦＤ、半導体チップなどのコンピュータ読み取り可能な記録媒体を介して前記形態１７乃至２４のいずれか１のバンディング補正情報生成プログラムをユーザなどの需用者に対して容易かつ確実に提供することができる。
【００３９】
〔形態２６〕  一方、上記課題を解決するために、形態２６の印刷装置は、
バンディング補正情報の生成用の画像の画像データである補正情報生成用画像データを取得する補正情報生成用画像データ取得手段と、
前記補正情報生成用画像データに基づき、前記画像の濃度情報を抽出する濃度情報抽出手段と、
前記濃度情報抽出手段で抽出した濃度情報に基づき、前記画像の濃度変化の勾配を算出する濃度勾配算出手段と、
前記濃度勾配算出手段で算出された前記濃度変化の勾配に基づき、前記補正情報生成用画像データを補正する濃度勾配補正手段と、
前記濃度勾配補正手段で補正された前記補正情報生成用画像データに基づき、バンディングを補正するためのバンディング補正情報を生成するバンディング補正情報生成手段と、
印刷対象の画像の画像データである印刷用画像データを取得する印刷用画像データ取得手段と、
前記バンディング補正情報生成手段で生成したバンディング補正情報を用いて、前記印刷用画像データに対してバンディングを補正する処理を実行するバンディング補正手段と、
前記印刷用画像データに基づき、印刷に用いる媒体に前記印刷対象の画像を印刷する印刷手段と、を備えることを特徴とする。
【００４０】
この構成によれば、補正情報生成用画像データ取得手段によって、バンディング補正情報の生成用の画像の画像データである補正情報生成用画像データを取得することが可能であり、濃度情報抽出手段によって、前記補正情報生成用画像データに基づき、前記画像の濃度情報を抽出することが可能であり、濃度勾配算出手段によって、前記濃度情報抽出手段で抽出した濃度情報に基づき、前記画像の濃度変化の勾配を算出することが可能であり、濃度勾配補正手段によって、前記濃度勾配算出手段で算出された前記濃度変化の勾配に基づき、前記補正情報生成用画像データを補正することが可能であり、バンディング補正情報生成手段によって、前記濃度勾配補正手段で補正された前記補正情報生成用画像データに基づき、バンディングを補正するためのバンディング補正情報を生成することが可能である。
【００４１】
また、印刷用画像データ取得手段によって、印刷対象の画像の画像データである印刷用画像データを取得することが可能であり、バンディング補正手段によって、前記バンディング補正情報生成手段で生成したバンディング補正情報を用いて、前記印刷用画像データに対してバンディングを補正する処理を実行することが可能であり、印刷手段によって、前記印刷用画像データに基づき、印刷に用いる媒体に前記印刷対象の画像を印刷することが可能である。
【００４２】
従って、上記形態１のバンディング補正情報生成装置と同様に、本来ならば存在しない、測定系の誤差により発生する濃度勾配を補正する（取り除く）ことで、より正確にバンディングを補正することができるバンディング補正情報を作成することができるという効果が得られる。更に、このバンディング補正情報を用いて補正した印刷用画像データに基づき印刷を行うことができるので、より効果的にバンディングが補正された印刷画像を得ることができるという効果が得られる。
【００４３】
〔形態２７〕  更に、形態２７の印刷装置は、形態２６に記載の印刷装置において、
前記濃度情報は、輝度値、濃度値（ＯＤ値）及び明度値（Ｌ値）のいずれか１つを用いたものであることを特徴とする。
この構成によれば、上記形態２のバンディング補正情報生成装置と同様の作用及び効果が得られると共に、より効果的にバンディングが補正された印刷画像を得ることができるという効果が得られる。
【００４４】
〔形態２８〕  更に、形態２８の印刷装置は、形態２６又は２７に記載の印刷装置において、
前記濃度情報は、前記画像におけるバンディングの発生方向及び当該バンディングの発生方向と直行する方向の少なくとも一方の濃度の統計値を含むことを特徴とする。
この構成によれば、上記形態３のバンディング補正情報生成装置と同様の作用及び効果が得られると共に、より効果的にバンディングが補正された印刷画像を得ることができるという効果が得られる。
【００４５】
〔形態２９〕  更に、形態２９の印刷装置は、形態２８に記載の印刷装置において、
前記濃度の統計値は、前記画像のライン毎の、輝度平均値、濃度平均値及び明度平均値のいずれか１つであることを特徴とする。
この構成によれば、上記形態４のバンディング補正情報生成装置と同様の作用及び効果が得られると共に、より効果的にバンディングが補正された印刷画像を得ることができるという効果が得られる。
【００４６】
〔形態３０〕  更に、形態３０の印刷装置は、形態２６乃至２９のいずれか１に記載の印刷装置において、
前記濃度勾配算出手段は、最小二乗法を用いた線形近似により前記勾配を算出する手段であることを特徴とする。
この構成によれば、上記形態５のバンディング補正情報生成装置と同様の作用及び効果が得られると共に、より効果的にバンディングが補正された印刷画像を得ることができるという効果が得られる。
【００４７】
〔形態３１〕  更に、形態３１の印刷装置は、形態２６乃至２９のいずれか１に記載の印刷装置において、 
前記濃度勾配算出手段は、多項式近似により前記勾配を算出する手段であることを特徴とする。
この構成によれば、上記形態６のバンディング補正情報生成装置と同様の作用及び効果が得られると共に、より効果的にバンディングが補正された印刷画像を得ることができるという効果が得られる。
【００４８】
〔形態３２〕  更に、形態３２の印刷装置は、形態２６乃至３１のいずれか１に記載の印刷装置において、
前記濃度勾配補正手段は、前記画像の濃度変化から、前記濃度勾配算出手段で算出した前記勾配が取り除かれるように、前記補正情報生成用画像データを補正する手段であることを特徴とする。
この構成によれば、上記形態７のバンディング補正情報生成装置と同様の作用及び効果が得られると共に、より効果的にバンディングが補正された印刷画像を得ることができるという効果が得られる。
【００４９】
〔形態３３〕  更に、形態３３の印刷装置は、形態３２に記載の印刷装置において、
前記濃度勾配補正手段は、前記画像の前記バンディングの発生方向の濃度変化に対する勾配及び当該バンディングの発生方向と直行する方向の濃度変化に対する勾配の少なくとも一方が、前記画像の濃度変化から取り除かれるように、前記補正情報生成用画像データを補正する手段であることを特徴とする。
この構成によれば、上記形態８のバンディング補正情報生成装置と同様の作用及び効果が得られると共に、より効果的にバンディングが補正された印刷画像を得ることができるという効果が得られる。
【００５０】
〔形態３４〕  一方、上記課題を解決するために、形態３４の印刷方法は、
バンディング補正情報の生成用の画像の画像データである補正情報生成用画像データを取得する補正情報生成用画像データ取得ステップと、
前記補正情報生成用画像データに基づき、前記画像の濃度情報を抽出する濃度情報抽出ステップと、
前記濃度情報抽出ステップで抽出した濃度情報に基づき、前記画像の濃度変化の勾配を算出する濃度勾配算出ステップと、
前記濃度勾配算出ステップで算出された前記濃度変化の勾配に基づき、前記補正情報生成用画像データを補正する濃度勾配補正ステップと、
前記濃度勾配補正ステップで補正された前記補正情報生成用画像データに基づき、バンディングを補正するためのバンディング補正情報を生成するバンディング補正情報生成ステップと、
印刷対象の画像の画像データである印刷用画像データを取得する印刷用画像データ取得ステップと、
前記バンディング補正情報生成ステップで生成したバンディング補正情報を用いて、前記印刷用画像データに対してバンディングを補正する処理を実行するバンディング補正ステップと、
前記印刷用画像データに基づき、印刷に用いる媒体に前記印刷対象の画像を印刷する印刷ステップと、を含むことを特徴とする。
この構成によれば、上記形態２６の印刷装置と同様の効果が得られる。
【００５１】
〔形態３５〕  更に、形態３５の印刷方法は、形態３４に記載の印刷方法において、
前記濃度情報は、輝度値、濃度値（ＯＤ値）及び明度値（Ｌ値）のいずれか１つを用いたものであることを特徴とする。
この構成によれば、上記形態２７の印刷装置と同様の効果が得られる。
【００５２】
〔形態３６〕  更に、形態３６の印刷方法は、形態３４又は３５に記載の印刷方法において、
前記濃度情報は、前記画像におけるバンディングの発生方向及び当該バンディングの発生方向と直行する方向の少なくとも一方の濃度の統計値を含むことを特徴とする。
この構成によれば、上記形態２８の印刷装置と同様の効果が得られる。
【００５３】
〔形態３７〕  更に、形態３７の印刷方法は、形態３６に記載の印刷方法において、
前記濃度の統計値は、前記画像のライン毎の、輝度平均値、濃度平均値及び明度平均値のいずれか１つであることを特徴とする。
この構成によれば、上記形態２９の印刷装置と同様の効果が得られる。 
【００５４】
〔形態３８〕  更に、形態３８の印刷方法は、形態３４乃至３７のいずれか１に記載の印刷方法において、
前記濃度勾配算出ステップは、最小二乗法を用いた線形近似により前記勾配を算出することを特徴とする。
この構成によれば、上記形態３０の印刷装置と同様の効果が得られる。
【００５５】
〔形態３９〕  更に、形態３９の印刷方法は、形態３４乃至３７のいずれか１に記載の印刷方法において、
前記濃度勾配算出ステップは、多項式近似により前記勾配を算出することを特徴とする。
この構成によれば、上記形態３１の印刷装置と同様の効果が得られる。
【００５６】
〔形態４０〕  更に、形態４０の印刷方法は、形態３４乃至３９のいずれか１に記載の印刷方法において、
前記濃度勾配補正ステップは、前記画像の濃度変化から、前記濃度勾配算出ステップで算出した前記勾配が取り除かれるように、前記補正情報生成用画像データを補正することを特徴とする。
この構成によれば、上記形態３２の印刷装置と同様の効果が得られる。
【００５７】
〔形態４１〕  更に、形態４１の印刷方法は、形態４０に記載の印刷方法において、
前記濃度勾配補正ステップは、前記画像の前記バンディングの発生方向の濃度変化に対する勾配及び当該バンディングの発生方向と直行する方向の濃度変化に対する勾配の少なくとも一方が、前記画像の濃度変化から取り除かれるように、前記補正情報生成用画像データを補正することを特徴とする。
この構成によれば、上記形態３３の印刷装置と同様の効果が得られる。
【００５８】
〔形態４２〕  一方、上記課題を解決するために、形態４２の印刷プログラムは、
バンディング補正情報の生成用の画像の画像データである補正情報生成用画像データを取得する補正情報生成用画像データ取得ステップと、
前記補正情報生成用画像データに基づき、前記画像の濃度情報を抽出する濃度情報抽出ステップと、
前記濃度情報抽出ステップで抽出した濃度情報に基づき、前記画像の濃度変化の勾配を算出する濃度勾配算出ステップと、
前記濃度勾配算出ステップで算出された前記濃度変化の勾配に基づき、前記補正情報生成用画像データを補正する濃度勾配補正ステップと、
前記濃度勾配補正ステップで補正された前記補正情報生成用画像データに基づき、バンディングを補正するためのバンディング補正情報を生成するバンディング補正情報生成ステップと、
印刷対象の画像の画像データである印刷用画像データを取得する印刷用画像データ取得ステップと、
前記バンディング補正情報生成ステップで生成したバンディング補正情報を用いて、前記印刷用画像データに対してバンディングを補正する処理を実行するバンディング補正ステップと、
前記印刷用画像データに基づき、印刷に用いる媒体に前記印刷対象の画像を印刷する印刷ステップとを有する処理をコンピュータに実行させるのに使用するプログラムを含むことを特徴とする。
【００５９】
このような構成であれば、コンピュータによってプログラムが読み取られ、読み取られたプログラムに従ってコンピュータが処理を実行すると、上記形態２６の印刷装置と同等の作用および効果が得られる。
【００６０】
〔形態４３〕  更に、形態４３の印刷プログラムは、形態４２の印刷プログラムにおいて、
前記濃度情報は、輝度値、濃度値（ＯＤ値）及び明度値（Ｌ値）のいずれか１つを用いたものであることを特徴とする。
このような構成であれば、コンピュータによってプログラムが読み取られ、読み取られたプログラムに従ってコンピュータが処理を実行すると、上記形態２７の印刷装置と同等の作用および効果が得られる。
【００６１】
〔形態４４〕  更に、形態４４の印刷プログラムは、形態４２又は４３に記載の印刷プログラムにおいて、
前記濃度情報は、前記画像におけるバンディングの発生方向及び当該バンディングの発生方向と直行する方向の少なくとも一方の濃度の統計値を含むことを特徴とする。
このような構成であれば、コンピュータによってプログラムが読み取られ、読み取られたプログラムに従ってコンピュータが処理を実行すると、上記形態２８の印刷装置と同等の作用および効果が得られる。
【００６２】
〔形態４５〕  更に、形態４５の印刷プログラムは、形態４４に記載の印刷プログラムにおいて、
前記濃度の統計値は、前記画像のライン毎の、輝度平均値、濃度平均値及び明度平均値のいずれか１つであることを特徴とする。
このような構成であれば、コンピュータによってプログラムが読み取られ、読み取られたプログラムに従ってコンピュータが処理を実行すると、上記形態２９の印刷装置と同等の作用および効果が得られる。
【００６３】
〔形態４６〕  更に、形態４６の印刷プログラムは、形態４２乃至４５のいずれか１に記載の印刷プログラムにおいて、
前記濃度勾配算出ステップは、最小二乗法を用いた線形近似により前記勾配を算出することを特徴とする。
このような構成であれば、コンピュータによってプログラムが読み取られ、読み取られたプログラムに従ってコンピュータが処理を実行すると、上記形態３０の印刷装置と同等の作用および効果が得られる。
【００６４】
〔形態４７〕  更に、形態４７の印刷プログラムは、形態４２乃至４５のいずれか１に記載の印刷プログラムにおいて、
前記濃度勾配算出ステップは、多項式近似により前記勾配を算出することを特徴とする。
このような構成であれば、コンピュータによってプログラムが読み取られ、読み取られたプログラムに従ってコンピュータが処理を実行すると、上記形態３１の印刷装置と同等の作用および効果が得られる。
【００６５】
〔形態４８〕  更に、形態４８の印刷プログラムは、形態４２乃至４７のいずれか１に記載の印刷プログラムにおいて、
前記濃度勾配補正ステップは、前記画像の濃度変化から、前記濃度勾配算出ステップで算出した前記勾配が取り除かれるように、前記補正情報生成用画像データを補正することを特徴とする。
このような構成であれば、コンピュータによってプログラムが読み取られ、読み取られたプログラムに従ってコンピュータが処理を実行すると、上記形態３２の印刷装置と同等の作用および効果が得られる。
【００６６】
〔形態４９〕  更に、形態４９の印刷プログラムは、形態４８に記載の印刷プログラムにおいて、
前記濃度勾配補正ステップは、前記画像の前記バンディングの発生方向の濃度変化に対する勾配及び当該バンディングの発生方向と直行する方向の濃度変化に対する勾配の少なくとも一方が、前記画像の濃度変化から取り除かれるように、前記補正情報生成用画像データを補正することを特徴とする。
このような構成であれば、コンピュータによってプログラムが読み取られ、読み取られたプログラムに従ってコンピュータが処理を実行すると、上記形態３３の印刷装置と同等の作用および効果が得られる。
【００６７】
〔形態５０〕  また、上記課題を解決するために、形態５０の記録媒体は、
形態４２乃至４９のいずれか１の印刷プログラムを記録したコンピュータ読み取り可能な記録媒体である。
これにより、ＣＤ−ＲＯＭやＤＶＤ−ＲＯＭ、ＦＤ、半導体チップなどのコンピュータ読み取り可能な記録媒体を介して前記形態４２乃至４９のいずれか１の印刷プログラムをユーザなどの需用者に対して容易かつ確実に提供することができる。
【発明を実施するための最良の形態】
【００６８】
以下、図面を参照して、本発明の実施形態に係る印刷装置について説明する。
図１は、本発明の実施形態に係る印刷装置のうちバンディング補正情報生成装置の構成を示すブロック図である。
図１に示すように、この印刷装置１のバンディング補正情報生成装置２は、補正情報生成用画像データ取得手段１０と、濃度情報抽出手段２０と、濃度勾配算出手段３０と、濃度勾配補正手段４０と、バンディング補正情報生成手段５０と、バンディング補正情報記憶手段６０とを備える。
【００６９】
補正情報生成用画像データ取得手段１０は、補正情報を生成するためのパッチ画像のデータである補正情報生成用画像データを装置外部又は装置内部から取得する。
濃度情報抽出手段２０は、画像の品質を低下させる要因の一種であるバンディングを補正するためのバンディング補正情報を生成するために、補正情報生成用画像データに基づき、パッチ画像の濃度情報を抽出する。 
【００７０】
濃度勾配算出手段３０は、濃度情報抽出手段２０で抽出された濃度情報に基づき、パッチ画像の濃度変化の勾配を算出する。
濃度勾配補正手段４０は、濃度勾配算出手段３０で算出された、パッチ画像の濃度変化の勾配を補正する。
バンディング補正情報生成手段５０は、濃度勾配補正手段４０により、濃度変化の勾配が補正された濃度情報に基づき、バンディング補正情報を生成する。 
【００７１】
バンディング補正情報記憶手段６０は、バンディング補正情報生成手段５０より生成されたバンディング補正情報を記憶する。
図２は、本発明の実施形態に係る印刷装置１の構成を示すブロック図である。
図２に示すように、この印刷装置１は、バンディング補正情報生成装置２と、印刷用画像データ取得手段７０と、バンディング補正手段８０と、印刷手段９０とを備える。
【００７２】
印刷用画像データ取得手段７０は、印刷用の画像データである印刷用画像データを、装置外部又は装置内部から取得する。
バンディング補正手段８０は、図１で説明したバンディング補正情報記憶手段６０に記憶されているバンディング補正情報に基づいて、印刷用画像データ取得手段７０で取得した印刷用画像データに対してバンディング補正処理を実行する。
【００７３】
印刷手段９０は、バンディング補正手段８０で補正された印刷用画像データに基づき、印刷に用いる媒体（例えば、印刷用紙など）に画像を印刷する。
以下、各部の詳細な機能を図面を参照して説明する。
［補正情報生成用画像データ取得手段１０］
図３〜図６は、本発明の印刷装置１の補正情報生成用画像データ取得手段１０で取得する補正情報生成用画像データの画像の一例を示す図である。
【００７４】
図３および図４は、補正情報生成用画像データ取得手段１０により取得した補正情報生成用画像データの実画像を示す図である。
これらの画像は、本発明のバンディング補正情報を生成するための画像の例を示したものである。印刷画像は印刷用紙上においてインクドットによって表現される二次元画像であり、印刷手段９０の備える、インクを吐出するノズルと、印刷用紙とを互いに相対移動させることにより形成することができる。印刷手段９０においては、各色のインクカートリッジを収容するキャリッジの下面に備えられた印刷ヘッドにインクが吐出可能なノズルが形成され、同キャリッジを一定方向に往復移動させることにより、同方向にシフトした複数のインクドットを形成することが可能となっている。印刷ヘッドと印刷用紙と間には所定距離のクリアランスが形成されており、同クリアランスを吐出されたインク粒が飛翔し、着弾した位置にインクドットが形成される。なお、上記のキャリッジの動作を主走査といい、その移動方向を主走査方向というものとする。
【００７５】
更に、印刷手段９０には印刷用紙を移動させる紙送り機構が備えられており、キャリッジが所定回数主走査を行う毎に、印刷用紙を一定方向に送り出すことが可能となっている。なお、上記の印刷用紙の動作を副走査といい、その移動方向を副走査方向というものとする。主走査方向と副走査方向は一般に直交する関係となっており、これらを組み合わせることにより印刷用紙上における任意の位置にインクドットを形成することができる。従って、印刷用紙上に二次元画像を再現することが可能となっている。また、印刷ヘッドが主走査を行う間は、紙送り機構は副走査を行わない。
【００７６】
かかる構成によれば、印刷用紙上の主走査方向には同一のノズルにより形成されたインクドットが並ぶこととなる。従って、ブラック（Ｋ）インクのインク粒の飛翔方向にずれを生じさせる不良ノズルがある場合、Ｋインクのみのドットにより印刷画像を形成すると、ずれた位置に形成されたインクドットが連続し、主走査方向に沿う筋状のノイズ（バンディング）が形成されることとなる。
【００７７】
また、上記構成の印刷装置１におけるバンディングは画像の副走査方向（ここでは画像の縦方向とする）に現れる。
例えば、図３に示す例は、縦方向のスジの多少または濃淡にほとんど差がないので、巨視的に見た場合の濃度変化がフラットな（例えば、濃度変化が勾配を有さない）状態の取得画像の実サンプルである。また、図４に示す例は、縦方向のスジの多少または濃淡をみると、下側が明るくなっているので、巨視的に見た場合の濃度変化がフラットではない（濃度変化が勾配を有する）状態の取得画像の実サンプルである。
【００７８】
図５および図６は、取得画像の模式図である。図５に示す例は、巨視的に見た場合に濃度変化が勾配を有さない状態の取得画像の模式図であり、図３に対応する模式図である。図６に示す例は、巨視的に見た場合に濃度変化が勾配を有する状態の取得画像の模式図であり、図４に対応する模式図である。図５および図６の模式図は、画像の特徴をより鮮明にした画像であり、極端な例で示すと、図６の取得画像の模式図は、縦方向に段差が生じ、下側が明るくなっていることが分かる。
【００７９】
また、印刷画像の画質を低下させる要因には、バンディング（筋状のノイズ）と粒状ノイズとがあり、バンディングを適正に補正するためには、バンディングの状態が解る濃度情報を抽出する必要がある。例えば、ずれた位置に形成されたインクドットが主走査方向に並ぶことにより、主走査方向に連続する余白領域が形成されバンディングとなる。なお、実際の印刷においては単一のインクのみを使用して印刷を行うことは希であり、バンディングが厳密な意味で主走査方向に連続することは少ない。しかし、ずれたインクドットが周期的に形成されるため、全体として印刷画像を眺めたときに筋状のバンディングが感じられてしまう。このようなバンディングは印刷画像の画質を低下させる要因となる。従って、印刷画像からバンディングを低減又は除去するためには、バンディングの要因となるノズルの調整を行ったり、印刷対象の画像データを補正したりする必要がある。但し、ノズルが原因の誤差は、製造段階で発生する製造誤差が原因であることが多く、取り除くのが極めて困難である。
【００８０】
一方、印刷画像は複数のインクドットで形成されているため、適正にインクドットを配置させてもインクドットの粒状ノイズが発生する。例えば、複数のインクドットが重なって形成される部位では明度が低くなるし、インクドットにより被覆されない部位は明度が高くなるように、明暗の起伏として粒状ノイズを把握することができる。ただし、粒状ノイズはバンディングと異なり印刷画像全体に均一に分布され、方向性も有していない。
【００８１】
以上説明したように、印刷画像にはそれぞれ性質の異なる、粒状ノイズとバンディングとが混在しているが、本発明では、バンディングに着目する。そして、バンディングを補正するのに適正な補正情報を生成し、この補正情報を用いて画像データを補正することで、印刷画像からバンディングを低減又は除去するようにした。
【００８２】
［濃度情報抽出手段２０］
図７および図８は、濃度情報抽出手段２０でバンディングを濃度情報の変化として抽出したグラフである。
【００８３】
図７は、実際の画像、すなわち、図３，図４で前述した画像から、機種Ａおよび機種Ｂの２種類について濃度情報抽出手段２０によって濃度情報の抽出を行った結果をグラフに示したものである。
図７は、横軸をＸ軸、縦軸をＹ軸とし、Ｘ軸に０、８９、１７８、２６７．・・・２５８１と画像のライン番号をとり、Ｙ軸に１２０〜１６０の範囲の輝度値をとり、図３および図４の画像の縦方向にライン毎の平均輝度値を求め、この平均輝度値の変化を信号列として用いたグラフである。線Ａが機種Ａすなわち図３の画像について、線Ｂが機種Ｂすなわち図４の画像についての結果を示している。
【００８４】
この結果、機種Ａについては横方向の濃度勾配は少なく、ライン番号０〜ライン番号２５８１の間にそれほどの差異が見られなかったが、機種Ｂについては横方向の濃度勾配が、ライン番号０〜２５８１の間に輝度値１５５〜１３５と、横方向の濃度勾配が激しいことが分かる。このように、実際の画像は、前述した図２または図３に示すような画像であるが、画像の縦方向にラインごとの平均輝度を求めた結果、横方向の濃度勾配が発生する。このことから、機種Ｂに、本来ならば存在すべきではない、大きな濃度勾配を発生させる要因があることが、視覚的にも分かる。
【００８５】
上記図７の線Ｂに示すような一次の濃度勾配は、例えば、バンディング補正情報を生成するためのパッチ画像データを生成する際に、スキャナを用いた場合などに発生する可能性がある。スキャナは、例えば、印刷画像に光を照射しながら、ラインセンサによって当該印刷画像を走査し、その反射光を光電変換して濃度情報を得るものである。そして、製造上の不備などによって、スキャナに異常がある場合に、このスキャナで生成されるパッチ画像の濃度情報には、例えば、図１３（ａ）に示す、１次の濃度勾配が発生する。
【００８６】
このことから、機種Ｂが有するスキャナに何らかの不備があるために、図７の線Ｂに示すような濃度勾配が発生したと予測することができる。
バンディングの補正は、一般に、各画像ラインの平均輝度値の符号を反転させて、当該各画像ラインの各画素の値に加算することで行われる。従って、本来ならば存在すべきではない濃度勾配（以下、不適濃度勾配と称す）がある濃度情報に基づいて、前記の補正方法でバンディングを補正してしまうと、不適濃度勾配によって変化している分の輝度値まで各画素の値に加算されてしまうため、バンディング補正をすることで、かえって印刷画質が悪化する恐れがある。
【００８７】
なお、ここでは物理量として輝度値を用いたが、一般的に、バンディングは（色味の変化ではなく）明るさの変化のムラに対して知覚されるものとされており、同じ明るさを示す尺度であれば、濃度値（ＯＤ値）、明度値（ＬａｂのＬ値）などを用いても良い。
現実的に、図７に示す信号列から、バンディング補正情報の生成に使いたい周期の波は、数ライン単位で輝度が上下している高周期の波である。機種Ｂにおいても高周期の波は信号として抽出されているが、現状では、不適濃度勾配による影響が大きく、バンディング補正情報を生成するための適正な濃度情報を得ることができない。しかし、画像の濃度変化に現われる、不適濃度勾配だけを取り除き、高周期の波だけを残すことができれば、純粋なバンディング成分だけが残ることになるので、バンディングを補正するのに適正な信号（濃度情報）を得ることができる。
【００８８】
図８は、図７と同様にして、横軸に画像のライン番号、縦軸に輝度値をとり、縦方向ライン毎の平均輝度値の変化、すなわち、縦方向の濃度勾配を示している。図８に示すように、濃度勾配は、縦方向にも発生する。
また、この例においても、濃度情報抽出手段２０によって、２種類の機種、機種Ａおよび機種Ｂについて、実際の画像で横方向にライン毎の平均輝度値を求めたグラフである。
【００８９】
［濃度勾配算出手段３０］
濃度勾配算出手段３０による濃度勾配の算出には、それぞれの信号列に対して最小二乗法により求めた回帰直線の傾きを用いる。最小二乗法は公知の手法なので、ここでは説明を省略する。
【００９０】
図７および図８を参照して、それぞれの信号について、濃度勾配を算出すると以下のようになる。
機種Ａの横方向の濃度勾配＝−０．０００７
機種Ｂの横方向の濃度勾配＝−０．００７６
機種Ａの縦方向の濃度勾配＝−０．００６０
機種Ｂの縦方向の濃度勾配＝−０．０２８３
以上の結果、横方向の濃度勾配については、｜−０．０００７｜＜｜−０．００７６｜、縦方向の濃度勾配については、｜−０．００６０｜＜｜−０．０２８３｜となり、全体的に機種Ａよりも機種Ｂの濃度勾配の状況が悪いという結果になった。また、Ｘ軸の範囲が異なるため、濃度勾配は、数値的には、縦方向の方が機種Ａ／Ｂ共に１桁悪い状況であるが、絶対値としての繋ぎ合わせによる濃度の落差としては、縦方向の方が比較的良好であると言える。
【００９１】
［濃度勾配補正手段４０］
図９は、濃度勾配補正処理の一例を示すフローチャートである。
このフローチャートを参照して、濃度勾配補正処理の方法について説明する。
まず、ステップＳ１０１において開始後、ステップＳ１０２において、濃度勾配補正手段４０は、濃度勾配算出手段３０にて算出された画像の濃度変化の勾配を、Ｘ軸方向の傾きおよびＹ軸方向の傾きとして取得する。次に、ステップＳ１０３において、濃度勾配補正手段４０は、画像の濃度変化における、当該画像の中心画素を含む画素に対応する座標（以下、中心座標と称す）を求める。次に、ステップＳ１０４において、濃度勾配補正手段４０は、画像の濃度変化における、注目画素に対応するＸ座標、Ｙ座標を求める。次に、ステップＳ１０５において、濃度勾配補正手段４０は、注目画素に対応する座標と中心座標との距離に基づいて、注目画素に対応する座標の中心座標に対する傾きが０になるような注目画素の補正量を算出する。次に、ステップＳ１０６において、濃度勾配補正手段４０は、ステップＳ１０５で算出した補正量を用いて注目画素の輝度値を補正する。次に、ステップＳ１０７において、濃度勾配補正手段４０は、全ての注目画素について補正したか否かを判断し、全ての画素について補正を行っていない場合には、ステップＳ１０４に戻り、次の注目画素について同様の処理を行う。一方、全ての注目画素について補正処理が終了すると、ステップＳ１０８において、濃度勾配補正処理を終了する。
【００９２】
図１０は、濃度勾配補正の概念を示すグラフである。この図は、図９のフローチャートにおいて、画像の濃度変化における、中心座標を基点にして、図７および図８で求めた濃度勾配を有する直線を仮定し、その直線を水平に戻すような補正処理を行うが、その際の概念を示した図である。
図１０のＡが中心座標（濃度勾配直線上の点）、Ｂが傾きを０にするための移動方向を示している。具体的に、Ｘ軸方向の傾きを補正する場合は、中心座標におけるＹ座標と、注目画素に対応する座標におけるＹ座標との距離が０となるような（注目画素のＹ座標が、図９中のＢ方向にＸ軸上まで移動するような）注目画素の補正量を決定し、当該決定した補正量を用いて注目画素の画素値（ここでは輝度値）を補正する。
【００９３】
なお、本実施形態における注目画素は、輝度平均値の算出に用いた各画像ラインを構成する画素となる。例えば、１ラインの画素数が５１２個であれば、この５１２個の画素が全て注目画素に該当する。また、補正処理は、画像の全画像ライン（全注目画素）に対して行う。
また、図１１および図１２は、補正後のラインごとの輝度変化を示す図であり、図１１は、図７に示した縦方向ライン毎の平均輝度値（横方向の濃度勾配）についての補正後の縦方向ライン毎の平均輝度値の輝度変化を示し、図１２は、図８に示した横方向ライン毎の平均輝度値（縦方向の濃度勾配）についての補正後の横方向ライン毎の平均輝度の輝度変化を示すグラフである。
【００９４】
図１１および図１２に示すように、補正後のライン毎の輝度変化からは、不適濃度勾配だけが除去できていることがわかる。また、数値的にも、補正後の濃度勾配は以下のようになり、不適濃度勾配だけが除去されていることが分かる。
まず、図１１に示す縦方向ライン毎の平均輝度の補正後の変化、すなわち横方向の濃度勾配の図を参照すると、機種Ａの横方向の濃度勾配＝0.0000、機種Ｂの横方向の濃度勾配＝0.0000、となった。また、図１２に示す横方向ライン毎の平均輝度の補正後の変化、すなわち縦方向の濃度勾配の図を参照すると、機種Ａの縦方向の濃度勾配＝-0.0002、機種Ｂの縦方向の濃度勾配＝0.0000となり、機種Ａの縦方向の濃度勾配のみが−の値となった。
【００９５】
［バンディング補正情報生成手段５０］
バンディング補正情報生成手段５０は、濃度勾配補正手段４０で補正された画像から各ラインごとの平均輝度値を求め、この平均輝度値を用いて各ラインの濃度濃淡を表したバンディング補正情報を生成するものである。バンディング補正情報は、何らかの入力値に対しての濃淡情報であるので、どのラインがどの程度濃いか、あるいは薄いかなどを計算して簡単に生成できる。
【００９６】
［バンディング補正情報記憶手段６０］
バンディング補正情報記憶手段６０は、バンディング補正情報生成手段５０で生成されたバンディング補正情報を、必要に応じて用いることができるように所定の場所に格納して記憶するものである。
【００９７】
［印刷用画像データ取得手段７０］
印刷指示に応じて、外部装置又は内部装置から、印刷指示に対応した印刷対象の画像データを取得する。
【００９８】
［バンディング補正手段８０］
バンディング補正手段８０は、印刷用画像データ取得手段７０にて印刷用画像データを取得後、前述したバンディング補正情報記憶手段６０に記憶されているバンディング補正情報に基づいて、取得した印刷用画像データに対してバンディングを補正処理を実行する。
【００９９】
ここで、バンディング補正処理は、バンディング補正情報から、各階調値に対する各画像ラインの濃度の濃淡が解るので、例えば、印刷用画像データのある画像ラインの平均階調値に対して濃度が不足している場合は、不足分の濃度を増やす補正をし、一方、濃度が過剰である場合は、過剰分の濃度を減らす補正を行う。具体的には、画素値が輝度値であれば、濃度が不足している場合に、不足分の濃度に対応する輝度値を減算し、一方、濃度が過剰である場合に、過剰分の濃度に対応する輝度値を加算する。
【０１００】
［印刷手段９０］
印刷手段９０は、バンディング補正手段８０においてバンディング補正処理が施された印刷用画像データに基づき、画像を印刷用紙等の媒体に印刷する。
【０１０１】
以上、本発明に係る印刷装置１は、パッチ画像の濃度変化から、本来ならば存在しないはずの濃度勾配を除去することが可能であり、これにより、純粋なバンディング成分のみを含むバンディング補正情報を生成することが可能である。
以上、本発明の実施形態について説明したが、本発明は、この実施形態に限定されず、本発明の趣旨を逸脱することなく、種々の変更が可能である。
【０１０２】
例えば、前述した実施形態では、最小二乗法によって、図１３（ａ）に示すような、一次の濃度勾配を除去したが、除去したい濃度勾配は常に一次であるとは限らない。例えば、測定系が顕微鏡やカメラなどのようにレンズを有する場合は、レンズの特性が中央部と周辺部とで異なるために、図１３（ｂ）に示すように、二次のカーブ（濃度勾配）が発生する。このような、二次の濃度勾配は、本来ならば存在すべきではないので、除去の対象となる。
【０１０３】
また、二次の濃度勾配を除去するには、２次の多項式近似を用いれば良い。その他、指数関数、対数関数など近似式の求め方がわかっていて、それが除去対象として想定の範囲内の濃度勾配であるならば、同様に、その濃度勾配を除去することで、同様の効果が得られる。
以下、図１４〜図２０に基づき、パッチ画像の濃度変化に二次の不適濃度勾配が発生する場合のバンディング補正に与える影響について、具体的に説明する。
【０１０４】
ここで、図１４は、レンズの特性のみによって発生する濃度変化の一例を示す図である。また、図１５は、レンズの特性による濃度変化とパッチ画像の濃度変化とを合わせた濃度変化の一例を示す図である。また、図１６は、図１５の濃度変化を有する濃度情報から生成されたバンディング補正情報を示す図である。また、図１７は、図１６のバンディング補正情報を用いてバンディングを補正した結果の濃度変化を示す図である。また、図１８は、パッチ画像の純粋な濃度変化の一例を示す図である。また、図１９は、図１８の濃度変化を有する濃度情報から生成したバンディング補正情報を示す図である。また、図２０は、図１９のバンディング補正情報を用いてバンディングを補正した結果の濃度変化を示す図である。
【０１０５】
一般に、顕微鏡などのレンズを組み合わせて２次元的に画像を捉えるエリアセンサを用いてパッチ画像の濃度情報を取得した場合に、取得した濃度情報のパッチ画像は、その周辺が暗くなることが知られている。このレンズによる影響は、図１４に示すように、目標濃度との差を縦軸に取り、ノズル番号（画像のライン番号に対応）を横軸に取ると、画像の両端では濃度差が０になり、中央にいくほど濃度差が大きくなっている。
【０１０６】
このような特性を有するレンズを通して得られたパッチ画像の濃度情報（各画像ラインの平均輝度値）は、図１５に示すように、目標濃度との差を縦軸に取り、ノズル番号（画像のライン番号に対応）を横軸に取ると、巨視的に見た濃度変化に対して、二次の大きな不適濃度勾配を生じさせる。
一方、上記した不適濃度勾配がある状態で、バンディング補正情報を生成すると、その補正量は、図１６に示すように、濃度補正量を縦軸に取り、ノズル番号（画像のライン番号に対応）を横軸に取ると、図１５の濃度変化を、丁度上下反転させたものとなる。つまり、二次の濃度勾配がそのまま反映されたバンディング補正情報となる。
【０１０７】
そして、二次の不適濃度勾配の反映されたバンディング補正情報で補正を行うと、レンズの特成分の補正量が各画素の値に余分に加算されることになるため、補正結果の濃度変化は、図１７に示すように、目標濃度との差を縦軸に取り、ノズル番号（画像のライン番号に対応）を横軸に取ると、丁度、図１４に示すレンズの特性による濃度変化を上下反転させたものとなる。
【０１０８】
つまり、パッチ画像を印刷するときに用いたオリジナルの画像データには、レンズの特性による影響は全く含まれていないため、レンズの特性による濃度変化を反転させた補正量分の濃度変化がダイレクトに混入されることになる。
従って、上記した本発明の手法を用いて、図１４に示す濃度変化から、レンズの特性による二次の濃度勾配を取り除く。この場合は、二次の多項式を用いてレンズの特性分を表す二次の曲線を近似し、その勾配が０となるように補正を行う。この補正により、図１８に示すような、純粋なバンディング成分のみの濃度情報が得られる。図１８において、縦軸は目標濃度との差であり、横軸はノズル番号（画像のライン番号に対応）である。
【０１０９】
そして、図１８に示す、純粋なバンディング成分を上下反転させてバンディング補正情報を生成することにより、その補正量の変化は、図１９に示すようになる。図１９において、縦軸は濃度補正量であり、横軸はノズル番号（画像のライン番号に対応）である。図１９に示す濃度補正量を用いて、オリジナルの画像データのバンディングを補正することで、その補正結果は、図２０に示すように、全画像ラインにおける濃度差が０となり、フラットな特性を示す。図２０において、縦軸は目標濃度との差であり、横軸はノズル番号（画像のライン番号に対応）である。
【０１１０】
また、濃度勾配補正に関して、上述した実施形態では、最小二乗法を用いて一次の濃度勾配を除去したが、これに限定されず、種々の方法を用いて濃度勾配を除去することができる。
【図面の簡単な説明】
【０１１１】
【図１】本発明の実施形態に係る印刷装置のバンディング情報作成装置の構成を示すブロック図である。
【図２】本発明の実施形態に係る印刷装置本体の構成を示すブロック図である。
【図３】境界条件良好の場合の入力画像を示す実サンプルである。
【図４】境界条件不良の場合の入力画像を示す実サンプルである。
【図５】境界条件良好の場合の入力画像を示す模式図である。
【図６】境界条件不良入力画像を示す模式図である。
【図７】縦方向ラインごとの平均輝度の変動を示すグラフである。
【図８】横方向ラインごとの平均輝度の変動を示すグラフである。
【図９】濃度勾配補正処理の一例を示すフローチャートである。
【図１０】濃度勾配補正の概念図である。
【図１１】横方向ラインごとの平均輝度の補正後の変動を示す図である。
【図１２】横方向ラインごとの平均輝度の補正後の変動を示す図である。
【図１３】従来例の問題点を指摘する図であり、補正情報を作るためにスキャンした結果を示す概略図であり、（ａ）は急激なスロープを形成している場合、（ｂ）は、急激に下降して再度上昇している場合を示す。
【図１４】レンズの特性のみによって発生する濃度変化の一例を示す図である。
【図１５】レンズの特性による濃度変化とパッチ画像の濃度変化とを合わせた濃度変化の一例を示す図である。
【図１６】図１５の濃度変化を有する濃度情報から生成されたバンディング補正情報を示す図である。
【図１７】図１６のバンディング補正情報を用いてバンディングを補正した結果の濃度変化を示す図である。
【図１８】パッチ画像の純粋な濃度変化の一例を示す図である。
【図１９】図１８の濃度変化を有する濃度情報から生成したバンディング補正情報を示す図である。
【図２０】図１９のバンディング補正情報を用いてバンディングを補正した結果の濃度変化を示す図である。
【符号の説明】
【０１１２】
１…印刷装置、２…バンディング補正情報生成装置、１０…補正情報生成用画像データ取得手段、２０…濃度情報抽出手段、３０…濃度勾配算出手段、４０…濃度勾配補正手段、５０…バンディング補正情報生成手段、６０…バンディング補正情報記憶手段、７０…印刷用画像データ取得手段、８０…バンディング補正手段、８０…印刷手段 
【図１】
2007283750.tif 000003
【図２】
2007283750.tif 000004
【図３】
2007283750.tif 000005
【図４】
2007283750.tif 000006
【図５】
2007283750.tif 000007
【図６】
2007283750.tif 000008
【図７】
2007283750.tif 000009
【図８】
2007283750.tif 000010
【図９】
2007283750.tif 000011
【図１０】
2007283750.tif 000012
【図１１】
2007283750.tif 000013
【図１２】
2007283750.tif 000014
【図１３】
2007283750.tif 000015
【図１４】
2007283750.tif 000016
【図１５】
2007283750.tif 000017
【図１６】
2007283750.tif 000018
【図１７】
2007283750.tif 000019
【図１８】
2007283750.tif 000020
【図１９】
2007283750.tif 000021
【図２０】
2007283750.tif 000022